(57)【要約】【課題】給湯と給水の接続切替時の作業性を向上させるとともに、部品点数を低減し、かつ漏水を防止することが可能な分岐金具を提供する。【解決手段】分岐本体５には、分岐本体５を上下に貫通して穿設された第１流入口６および第２流入口７が設けられ、この第１流入口６または第２流入口７のいずれか一方には、横穴８が設けられている。分岐本体挿入部１に分岐本体５を挿入する際に、分岐本体５の上下方向を入れ替えるだけで、温水と水道水との切替を行うことができる。また、分岐本体挿入部１の側方に設けられた分岐口２と止水栓３とが一体として形成されている。【選択図】          図１
2004156745.tif 000002
【特許請求の範囲】
【請求項１】
温水と水道水とを切替えて通水するための分岐金具であって、分岐本体には上下に貫通して穿設された第１流入口および第２流入口が設けられ、この第１流入口または第２流入口のいずれか一方には横穴が設けられ、前記分岐本体の配置方向を上下に入れ替えることによって、温水と水道水とを切替えて通水することを特徴とする分岐金具。
【請求項２】
前記分岐本体の下端側に、独立した部品として形成されたパッキンガイドが装着されていることを特徴とする請求項１記載の分岐金具。
【請求項３】
前記分岐本体が挿入される分岐本体挿入部に分岐口が設けられ、この分岐口と止水栓とを一体に形成したことを特徴とする請求項１または２記載の分岐金具。
【発明の詳細な説明】
【０００１】
【発明の属する技術分野】
本発明は、食器洗浄機等に温水または水道水を供給するために、温水と水道水とを分岐させるための分岐金具に関する。
【０００２】
【従来の技術】
食器洗浄機は通常、温水が供給されるように施工されて使用される。しかし、供給される温水の温度が基準の温度より高温である場合には、熱湯が食器洗浄機に供給されることによって食器洗浄機が故障する場合がある。この場合には水道水が食器洗浄機に供給されるようにすることが必要となり、そのために、温水と水道水とを切替える分岐金具が用いられている。
【０００３】
食器洗浄機等へ温水または水道水を供給するための、従来の分岐金具の一例を図３に示す。
図３に示す分岐金具は、分岐本体挿入部５１に分岐口５２を設け、この分岐口５２に対して止水栓５３とカプラ−ユニット５４とを連接してなるものである。カプラ−ユニット５４の一端には図示しないメタルホ−ス等が接続されて、食器洗浄機等へ温水または水道水が供給される。カプラ−ユニット５４は、これに接続されるメタルホ−ス等が外れた際に、温水または水道水が止水する機能を持つものである。
分岐本体挿入部５１内には分岐本体５５が取付けられ、この分岐本体５５が温水と水道水とを分岐させる機能を有している。この分岐本体５５の構造および機能については、例えば、特許文献１に記載されている。
【０００４】
【特許文献１】
特許第３０２６７６９号公報（段落番号００１９から００４９）
【０００５】
この分岐本体５５の構成を図４、図５、図６を用いて説明する。
図４は、分岐本体挿入部５１に分岐本体５５が挿入された状態での縦断面図であり、図５は同平面図である。また、図６は図４の一部断面図である。
分岐本体５５には、分岐本体５５を上下に貫通して穿設された水道水流入口５６および温水流入口５７が設けられ、この水道水流入口５６および温水流入口５７には、それぞれ横穴５８が設けられている。また、水道水流入口５６と温水流入口５７のいずれか一つに挿脱自在に挿入され、水道水流入口５６または温水流入口５７のいずれかの横孔５８を閉塞するためにブッシュ５９が用いられる。横穴５８は、分岐本体挿入部５１に設けられた環状溝６０に開口している。
【０００６】
このブッシュ５９を図４のように水道水流入口５６に挿入すると、水道水流入口５６が塞がれて、水道水流入口５６に設けられた横穴５８に水道水が流出することはない。
分岐口５２は図６のように温水流入口５７と連通するため、温水流入口５７に設けられた横穴５８から環状溝６０を通って温水が分岐口５２に流出し、分岐口５２にカプラ−ユニット５４を介してメタルホ−ス等（不図示）を介して接続された、例えば、食器洗浄機へ温水（例えば、６０℃以下の湯）を供給することができる。
一方、このブッシュ５９を温水流入口５７に挿入すれば、この分岐口５２は水道水流入口５６と連通するため、この分岐口５２にカプラ−ユニット５４を介してメタルホ−ス等（不図示）を介して接続された、例えば、食器洗浄機へ水道水を供給することができる。
【０００７】
実際には、図７に示すように、水道水流入口５６または温水流入口５７のいずれかの横孔５８を閉塞するための長尺のブッシュ６１と、横孔５８を閉塞しない短尺のブッシュ６２とが、水道水流入口５６または温水流入口５７のいずれかに挿入される。この長尺のブッシュ６１、短尺のブッシュ６２のいずれにおいても、その下端にシートパッキン６３が設けられている。
【０００８】
給水の接続切替は、長尺のブッシュ６１、短尺のブッシュ６２の挿入位置を入れ替えることによって行われるが、この入れ替え作業には、押棒６４が用いられる。すなわち、押棒６４を分岐本体５５の水道水流入口５６または温水流入口５７に差し込んで、長尺のブッシュ６１、短尺のブッシュ６２を押し出す。その後、押し出された長尺のブッシュ６１、短尺のブッシュ６２を、それまで挿入されていた流入口とは異なる流入口に手で挿入することによって挿入位置が入れ替えられる。
【０００９】
上述の分岐金具を台付きシングル用水栓に取付ける手順を図８に示す。
図８（ａ）のように、レバーハンドル７０を固定しているビス７１をドライバー７２で緩めてレバーハンドル７０を一旦取り外し、図８（ｂ）のように、モーターレンチ７３等でカバーナット７４を外す。次に、図８（ｃ）のように、カートリッジ７５を取り外し、図８（ｄ）のように、分岐本体５５を取付けて、その上にカートリッジ７５を配置する。その後、図８（ｅ）のように、カバーナット７４とレバーハンドル７０を取付け，図８（ｆ）に示すように、分岐本体５５の分岐口５２に対して止水栓５３とカプラ−ユニット５４と給湯ホース７６を接続する。
【００１０】
【発明が解決しようとする課題】
しかし、このようにして給水の接続切替を行うと、長尺のブッシュ６１と短尺のブッシュ６２との入れ替え作業に手間を要し、かつ入れ替え作業の際に用いる押棒を別途製造することが必要となり、部品点数が多くなる。
また、施工時に分岐口５２に対して止水栓５３が回動するため、止水栓５３の位置が安定せず、施工性が悪い。また、止水栓５３を独立した部品として製造しているため、部品点数が多くなり生産性に欠ける。
さらに、分岐口５２と止水栓５３との接続部からの漏水が生じやすいという問題がある。
【００１１】
本発明は、上記課題を解決するためになされたもので、給湯と給水の接続切替時の作業性を向上させるとともに、部品点数を低減し、かつ漏水を防止することが可能な分岐金具を提供することを目的とする。
【００１２】
【課題を解決するための手段】
以上の課題を解決するために、本発明は、温水と水道水とを切替えて通水するための分岐金具であって、分岐本体には上下に貫通して穿設された第１流入口および第２流入口が設けられ、この第１流入口または第２流入口のいずれか一方には横穴が設けられ、前記分岐本体の配置方向を上下に入れ替えることによって、温水と水道水とを切替えて通水することを特徴とする分岐金具である。
この分岐本体を用いると、分岐本体の上下方向を入れ替えるだけで、温水と水道水との切替を行うことができるため、切替操作を極めて容易に行うことができる。この操作は、特別に用意した工具等を用いることなく、作業者が手で分岐本体を押し出す又は引き抜くことによって可能であり、切替作業に必要な部品点数を削減することができる。
【００１３】
本発明は、前記分岐本体の下端側に、独立した部品として形成されたパッキンガイドが着脱可能に装着されていることを特徴とする。
本発明の分岐金具では、分岐本体の上下方向を入れ替えて温水と水道水との切替を行うことに伴って、パッキン部を有するパッキンガイドを独立した部品として形成している。このような構成とすることにより、分岐本体の下面側にパッキンガイドを装着することによって、分岐本体が配置される方向にかかわらず、パッキンの機能を持たせることが可能となる。
【００１４】
本発明は、前記分岐本体が挿入される分岐本体挿入部に分岐口が設けられ、この分岐口と止水栓とを一体に形成したことを特徴とする。
これにより、分岐口と止水栓との接続部での漏水を防止することができる。また、分岐口と止水栓とを接続する必要がないため、接続時に分岐口と止水栓とが回動して止水栓の位置が安定しないという事態を生じることがない。さらに、分岐金具を構成する部品点数の削減も実現することができる。
【００１５】
【発明の実施の形態】
以下、本発明をその実施の形態に基づいて説明する。
図１に、本発明の実施の形態に係る分岐金具の構成を示す。
図１（ａ）は、分岐金具の縦断面図であり、この分岐金具は、分岐本体挿入部１の側方に分岐口２が設けられ、この分岐口２に対して止水栓３が一体として形成されたものである。止水栓３に対してカプラ−ユニット４が接続され、カプラ−ユニット４の一端には図示しないメタルホ−ス等が接続されて、食器洗浄機等へ温水または水道水が供給される。
【００１６】
分岐本体挿入部１内には円筒形状の筒体である分岐本体５が挿入され、この分岐本体５が温水と水道水とを分岐させる機能を有している。
図１（ｂ）は分岐本体５の平面図である。分岐本体５には、分岐本体５を上下に貫通して穿設された第１流入口６および第２流入口７が設けられ、この第１流入口６または第２流入口７のいずれか一方には、横穴８が設けられている。図１（ｂ）では、第１流入口６に横穴８が設けられた場合を示している。
【００１７】
この横穴８は図１（ａ）に示すように、分岐本体５を分岐本体挿入部１に挿入した際に、横穴８と分岐口２との位置が合致するように、分岐本体５においてその高さが調整されて設けられている。また、横穴８は分岐本体挿入部１の外周部に設けられた環状溝９に開口している。
【００１８】
図１（ａ）は、第１流入口６が温水流入口となるように、分岐本体５を分岐本体挿入部１に挿入した場合である。この場合、温水は第１流入口６に設けられた横穴８に流出し、横穴８が環状溝９に開口していることによって、温水は環状溝９を通って分岐口２側に流出する。これにより、止水栓３、カプラ−ユニット４を介して食器洗浄機へ温水が供給される。一方、水道水流入口となる第２流入口７には横穴８が設けられていないため、水道水が分岐口２側に流出することはない。
【００１９】
次に、分岐本体５の上下を入れ替えて分岐本体挿入部１に挿入すると、上記と逆の現象が生じる。すなわち、第１流入口６が水道水流入口となり、水道水は第１流入口６に設けられた横穴８に流出し、横穴８が環状溝９に開口していることによって、水道水は環状溝９を通って分岐口２側に流出する。これにより、止水栓３、カプラ−ユニット４を介して食器洗浄機へ水道水が供給される。一方、温水流入口となる第２流入口７には横穴８が設けられていないため、温水が分岐口２側に流出することはない。
【００２０】
図２は、分岐本体５の上下を入れ替えるために、分岐本体５を分岐本体挿入部１から引き抜いた状態を示したものである。この操作を行う際には特別に用意した工具等を用いることなく、作業者が手で分岐本体を引き抜くことによって操作が可能である。
このように、本発明の分岐本体５を用いると、分岐本体挿入部１に分岐本体５を挿入する際に分岐本体５の上下方向を入れ替えるだけで、温水と水道水との切替を行うことができるため、切替操作を極めて容易に行うことができる。
また、従来技術において説明したような、温水と水道水との切替のための、長尺ブッシュ、短尺ブッシュ、及びこれらの入替作業に用いられる押棒を必要としないため、部品点数を削減することができる。
【００２１】
さらに、本発明の分岐金具においては、分岐本体挿入部１の側方に設けられた分岐口２と止水栓３とが一体として形成されている。このように、分岐口２と止水栓３とを一体成形することにより、従来問題となっていた、分岐口２と止水栓３との接続部での漏水を防止することができる。また、分岐口２と止水栓３とを接続する必要がないため、接続時に分岐口２と止水栓３とが回動して止水栓３の位置が安定しないという事態を生じることがない。さらに、部品点数の削減も実現することができる。
【００２２】
図２において、符号１０は、パッキン部１１を有し、独立した部品として形成されたパッキンガイドである。このパッキンガイド１０は、位置決めピン１２を用いて分岐本体５に対して位置決めがなされた後、止めねじを用いて分岐本体５の下面側に装着される。図１（ａ）は、パッキンガイド１０が分岐本体５の下面側に装着された状態を示している。
【００２３】
本発明の分岐本体５は、温水と水道水との切替の際に、上下を入れ替えて分岐本体挿入部１に挿入されるため、分岐本体にパッキンを一体として設けると、分岐本体５の挿入方向を入れ替えたときにパッキンが有効に機能できない。そのため、パッキン部１１を有するパッキンガイド１０を独立した部品として形成して、分岐本体５が挿入される方向にかかわらず、分岐本体５の下面側に装着することによって、漏水防止等のパッキンとしての機能を持たせるようにしている。
【００２４】
【発明の効果】
以上説明したように、本発明によると、以下の効果を奏することができる。
（１）分岐本体には上下に貫通して穿設された第１流入口および第２流入口が設けられ、この第１流入口または第２流入口のいずれか一方には横穴が設けられており、この分岐本体の配置方向を上下に入れ替えることにより、温水と水道水との切替を行うことができるため、操作が簡単であり、作業性が向上する。
また、操作のために特別に工具等を用意する必要がなく、切替作業に必要な部品点数を削減することができ、生産性が向上する。
【００２５】
（２）分岐本体の下端側に、独立した部品として形成されたパッキンガイドが着脱可能に装着されていることによって、分岐本体の上下方向を入れ替えて温水と水道水との切替を行っても、分岐本体が配置される方向にかかわらず、パッキンの機能を持たせることが可能となる。
【００２６】
（３）分岐本体挿入部に設けられた分岐口と止水栓とを一体に形成したことにより、分岐口と止水栓との接続部での漏水を防止することができる。また、分岐口と止水栓とを接続する必要がないため、接続時に分岐口と止水栓とが回動して止水栓の位置が安定しないという事態を生じることがなく、作業性が向上する。さらに、分岐金具を構成する部品点数を削減することができ、生産性が向上する。
【図面の簡単な説明】
【図１】本発明の実施の形態に係る分岐金具の構成を示す図である。
【図２】本発明の実施の形態に係る分岐金具において、分岐本体挿入部から分岐本体を取り出した時の構成を示す図である。
【図３】従来の分岐金具の構成を示す図である。
【図４】従来の分岐本体の構成を示す図である。
【図５】図４に示す分岐本体の平面図である。
【図６】従来の分岐本体の構成の一部を示す図である。
【図７】従来の分岐金具を使用する際に用いられるブッシュと押棒を示す図である。
【図８】分岐金具を台付きシングル用水栓に取付ける際の取付け手順を示す図である。
【符号の説明】
１  分岐本体挿入部
２  分岐口
３  止水栓
４  カプラ−ユニット
５  分岐本体
６  第１流入口
７  第２流入口
８  横穴
９  環状溝
１０  パッキンガイド
１１  パッキン部
１２  位置決めピン
【図１】
2004156745.tif 000003
【図２】
2004156745.tif 000004
【図３】
2004156745.tif 000005
【図４】
2004156745.tif 000006
【図５】
2004156745.tif 000007
【図６】
2004156745.tif 000008
【図７】
2004156745.tif 000009
【図８】
2004156745.tif 000010